(57)【要約】【課題】フィルム加飾された蓋体の強度を向上させることができるため、掃除機本体が箪笥や壁などの障害物に衝突した場合であっても、フィルム加飾された蓋体が変形することを防止することができ、フィルム加飾された蓋体の耐久性を向上させることができる電気掃除機の提供。【解決手段】電動送風機を内蔵する掃除機本体と、掃除機本体の上面を覆うものであって、成形基材と、成形基材を覆うフィルムと、成形基材とフィルムとの間に接着層とより構成される蓋体と、を備え、フィルムは掃除機本体の意匠面側に設けられるものとし、成形基材は掃除機本体側にリブ形状の突出部３６を有することを特徴とする電気掃除機。【選択図】図４
2012239678.tif 000002
【特許請求の範囲】
【請求項１】
電動送風機を内蔵する掃除機本体と、前記掃除機本体の上面を覆うものであって、成形基材と、前記成形基材を覆うフィルムと、前記成形基材と前記フィルムとの間に接着層とより構成される蓋体と、を備え、前記フィルムは前記掃除機本体の意匠面側に設けられるものとし、前記成形基材は前記掃除機本体側にリブ形状の突出部を有することを特徴とする電気掃除機。
【請求項２】
前記突出部は複数の筋状の形状であることを特徴とする請求項１に記載の電気掃除機。
【請求項３】
複数のリブは前記フィルムの引張応力がかかる方向に設けられたことを特徴とする請求項２に記載の電気掃除機。
【請求項４】
前記成形基材の厚みは少なくとも１ｍｍ以上有することを特徴とする請求項１〜３の何れか一項に記載の電気掃除機。
【請求項５】
前記フィルムの裾部は前記蓋体の開放状態において前記成形基材の意匠面に露出する構成とし、かつ、前記成形基材は端部に突起部を有する構成とし、かつ、前記突起部は前記フィルムの裾部を取り囲むように配置されたことを特徴とする請求項１〜４の何れか一項に記載の電気掃除機。
【請求項６】
前記突出部と前記突起部、または、前記突出部の延長線と前記突起部とは交点において少なくとも６０度以上の角度を有するように配置されたことを特徴とする請求項５に記載の電気掃除機。
【発明の詳細な説明】
【技術分野】
【０００１】
本発明は、フィルムにより加飾された電気掃除機に関する。
【背景技術】
【０００２】
従来、家電製品等の外観品位を向上させる手段には、塗装、光輝材の練り込みなどがあるが、その中の一つにフィルム加飾技術がある。フィルム加飾技術とは、印刷などで柄を加飾したフィルムで成形体を被覆する技術である。フィルム加飾技術の優位な点として、フィルムの状態で加飾の柄を印刷などで加飾できるため、塗装や光輝材の練り込みなどよりも、多種多様な柄や色使いが可能となり、より高い外観品位を得ることが可能となる。また、フィルムの材質を選択することで、耐傷付き性や汚れの防止といった機能を付加することも可能となる。
【０００３】
図７は、特許文献１に記載された従来の加飾成形品を示すものである。図７に示すように、加飾成形品１は、裏面側が凹面形状をした成形基材２が、その表面をシート状加飾フィルム３によって被覆されている。そして、図７に示すように、従来は、フィルム３の端部４が露出しないように、フィルム３の端部４を加飾成形品１の裏面に持っていくなどにより、フィルム３の端部４が人の目に触れないような構成としている。
【先行技術文献】
【特許文献】
【０００４】
【特許文献１】特開２００８−２８４７７１号公報
【発明の概要】
【発明が解決しようとする課題】
【０００５】
しかしながら、上述の特許文献１に記載の従来のフィルム加飾技術は、筐体の強度についての記載はなく、単に、上記従来のフィルム加飾技術を電気掃除機に適用した場合には、電気掃除機本体が箪笥や壁などの障害物に衝突した場合、電気掃除機本体の蓋体に衝撃が加わり、蓋体が変形することにより、フィルムが蓋体から剥がれてしまうという課題があった。
【０００６】
本発明は、上記従来技術の有する課題に鑑みてなされたものであり、蓋体の強度を増加させることで、電気掃除機本体が箪笥や壁などの障害物に衝突した場合であっても、フィルム加飾された蓋体が変形することを防止することができ、フィルム加飾された蓋体の耐久性を向上させることができる電気掃除機を提供することを目的とする。
【課題を解決するための手段】
【０００７】
上記従来技術の有する課題を解決するために、本発明は、電動送風機を内蔵する掃除機本体と、掃除機本体の上面を覆うものであって、成形基材と、成形基材を覆うフィルムと、成形基材とフィルムとの間に接着層とより構成される蓋体と、を備え、フィルムは掃除機本体の意匠面側に設けられるものとし、成形基材は掃除機本体側にリブ形状の突出部を有することを特徴とする電気掃除機を提供する。
【０００８】
これにより、フィルム加飾された蓋体の強度を向上させることができるため、掃除機本体が箪笥や壁などの障害物に衝突した場合であっても、フィルム加飾された蓋体が変形することを防止することができ、フィルム加飾された蓋体の耐久性を向上させることができる。
【発明の効果】
【０００９】
本発明の電気掃除機によれば、フィルム加飾された蓋体の強度を向上させることができるため、掃除機本体が箪笥や壁などの障害物に衝突した場合であっても、フィルム加飾された蓋体が変形することを防止することができ、フィルム加飾された蓋体の耐久性を向上させることができるようになる。
【図面の簡単な説明】
【００１０】
【図１】本発明の実施の形態１における電気掃除機の全体斜視図
【図２】本発明の実施の形態１における掃除機本体の断面図
【図３】本発明の実施の形態１における蓋体の縦断面図
【図４】本発明の実施の形態１における蓋体の背面図
【図５】本発明の実施の形態１における蓋体の部分断面図
【図６】本発明の実施の形態１における蓋体の横断面図
【図７】従来の加飾成形品を示す部分断面図
【発明を実施するための形態】
【００１１】
第１の発明は、電動送風機を内蔵する掃除機本体と、掃除機本体の上面を覆うものであって、成形基材と、成形基材を覆うフィルムと、成形基材とフィルムとの間に接着層とより構成される蓋体と、を備え、フィルムは掃除機本体の意匠面側に設けられるものとし、成形基材は掃除機本体側にリブ形状の突出部を有することを特徴とする電気掃除機としたものである。ここで、意匠面とは、蓋体の上面であり、蓋体を閉じた状態において、使用者の目に触れる側の面である。
【００１２】
これにより、フィルム加飾された蓋体の強度を向上させることができるため、掃除機本体が箪笥や壁などの障害物に衝突した場合であっても、フィルム加飾された蓋体が変形することを防止することができ、フィルム加飾された蓋体の耐久性を向上させることができる。
【００１３】
第２の発明は、特に、第１の発明において、突出部は複数の筋状の形状であるものである。
【００１４】
これにより、フィルム加飾された蓋体の強度をさらに向上させることができるため、掃除機本体が箪笥や壁などの障害物に衝突した場合であっても、フィルム加飾された蓋体が変形することをより確実に防止することができ、フィルム加飾された蓋体の耐久性をさらに向上させることができる。
【００１５】
第３の発明は、特に、第２の発明において、複数のリブはフィルムの引張応力がかかる方向に設けられたものである。
【００１６】
これにより、蓋体に加わった衝撃がフィルムの応力方向である場合に、フィルムがより剥がれやすくなるが、フィルムの引張応力がかかる方向に複数のリブを設けることにより、フィルムが剥がれることを確実に防止するものである。
【００１７】
第４の発明は、特に、第１〜第３の発明において、成形基材の厚みは少なくとも１ｍｍ以上有するものである。
【００１８】
これにより、成型基材自体の強度を向上させることができるため、フィルム加飾された蓋体が変形することをより確実に防止することができ、フィルム加飾された蓋体の耐久性をさらに向上させることができる。
【００１９】
第５の発明は、特に、第１〜第４の発明において、フィルムの裾部は蓋体の開放状態において成形基材の意匠面に露出する構成とし、かつ、成形基材は端部に突起部を有する構成とし、かつ、突起部はフィルムの裾部を取り囲むように配置されたものである。
【００２０】
ここで、フィルムの裾部とは、蓋体にフィルムを貼付した後に余分なフィルムを取り除いた後のカットラインの部分である。
【００２１】
これにより、フィルムの裾部は成形基材の端部内側まで巻き込ませていないため、フィルム材料の使用量を最小限に抑えることができ、また、フィルムの伸び量も抑えることができるため、フィルム裾部からの粘着力低下による剥がれを抑制することができる。さらに、蓋体の開放時において、フィルム裾部を取り囲むように配置された突起部によって、使用者の指などが接触することによる捲れを防止することができる。
【００２２】
第６の発明は、特に、第５の発明において、突出部と突起部、または、突出部の延長線と突起部とは交点において少なくとも６０度以上の角度を有するように配置されたものである。
【００２３】
これにより、蓋体の強度をさらに向上させることができるため、フィルム加飾された蓋体が変形することをより確実に防止することができ、フィルム加飾された蓋体の耐久性をさらに向上させることができる。
【００２４】
以下、図面を参照しながら本発明の電気掃除機の好適な実施形態について詳細に説明する。なお、以下の説明では、同一または相当部分には同一符号付し、重複する説明は省略する。
【００２５】
（実施の形態１）
本発明の電気掃除機の実施の形態１について、図１〜図６を用いて説明する。
【００２６】
図１は、本発明の実施の形態１における電気掃除機の全体斜視図である。また、図２は、本発明の実施の形態１における掃除機本体の断面図である。さらに、図３は、本発明の実施の形態１における蓋体の縦断面図である。そして、図４は本発明の実施の形態１における蓋体の背面図、図５は本発明の実施の形態１における蓋体の部分断面図である。最後に、図６は本発明の実施の形態１における蓋体の横断面図である。
【００２７】
図１に示すように、電気掃除機１００は、吸引風を発生させる電動送風機（図示せず）を内蔵する掃除機本体５と、被清掃面の塵埃を吸引する吸込具１０１と、一端が吸込具１０１に着脱自在に接続される伸縮自在或いは継ぎ自在の延長管１０２と、一端が延長管１０２の他端に着脱自在に接続され、他端が掃除機本体５の前部に設けられた吸入口１０３に着脱自在に接続されるホース１０４と、から構成されている。
【００２８】
掃除機本体５の後方の両側面には、走行用の車輪１０５が回転自在に取り付けられている。また、掃除機本体５の下面の前部には、走行用のキャスター１０６が取り付けられている。さらに、掃除機本体５の前方の上部には、使用者が掃除機本体５を持ち運ぶ際に使用する本体ハンドル１０７が設けられている。
【００２９】
吸込具１０１には、被清掃面の塵埃を掻きあげる回転ブラシ１０８と、回転ブラシ１０８を回転駆動する駆動モータ１０９と、が内蔵されている。
【００３０】
ホース１０４の延長管１０２側の端部には、使用者が掃除の際に握る把手部１１０を有する先端パイプ１１１が設けられている。また、ホース１０４の掃除機本体５側の端部に
は、掃除機本体５の吸入口１０３に着脱自在に接続される接続パイプ１１２が設けられている。
【００３１】
図２に示すように、掃除機本体５は、掃除機本体５の下面を形成する下部材６と、後述する下部材６の後方の上面を形成する上部材７と、後述する集塵室８の上面及び上部材７の上面を覆うとともに、掃除機本体５の上面を形成する蓋体９と、掃除機本体５の側面を形成するカバー体１０（図１参照）と、から構成されている。また、蓋体９の後部は、上部材７に回動自在に軸支されている。
【００３２】
掃除機本体５の後部には、吸引風を発生させる電動送風機１３を内蔵する電動送風機室１４が設けられている。また、掃除機本体５の前部には、塵埃を捕集する集塵袋１５が着脱自在に配置される集塵室８が設けられている。集塵袋１５は、ポリプロピレン等の熱可塑性繊維で構成されるとともに、エレクトレット加工されており、空気等の摩擦で帯電するように構成されている。
【００３３】
電動送風機１３は、主として、吸引風を発生させるファン（図示せず）と、ファンから放出された気流を整流するエアガイド（図示せず）と、ファンを回転駆動するモータ（図示せず）と、ファン及びエアガイドを内包するファンケース２０と、モータを内包するとともに、ファンケース２０に機密に取り付けられるモータケース２１と、から構成されている。
【００３４】
図３に示すように、蓋体９は、成形基材２と、成形基材２の上面を覆うフィルム３と、から構成されており、成形基材２とフィルム３との間には接着層３５が設けられている。
【００３５】
図４に示すように、蓋体９の掃除機本体５側の面、すなわち、成形基材２の掃除機本体５側の面には、複数のリブ形状を有する突出部３６が設けられている。この突出部３６は、成形基材２にフィルム３を貼付した際に、成形基材２の最も強く引っ張り応力がかかる方向（図４に示す矢印ＡおよびＢ方向）に筋状に複数配置されている。
【００３６】
図５に示すように、成形基材２の厚さＴは、１ｍｍ〜５ｍｍで形成されており、突出部３６の幅Ｗは０．５〜Ｔ×０．７ｍｍで形成される。これは、細すぎれば目的の強度は得がたく、成形基材２の厚みに対して突出部３６が厚すぎれば、ひけが生じ、外観を損ねるためである。また、複数の突出部３６は、各突出部３６間の距離Ｄは、等間隔にて配置されている。また、突出部３６の高さＨは１〜Ｗ×５ｍｍで形成される。１ｍｍ未満では、曲げ変形に対する補強は小さく、突出部３６の高さＨが大きいほど変形に対する強度は強くなるが、突出部３６が大きくなるほどに重量が増え、蓋体９の開閉動作に支障をきたす。
【００３７】
図６に示すように、フィルム３は、成形基材２の上面、すなわち、蓋体９を閉じた状態において使用者の目に触れる側の面に貼付されている。フィルム３は、蓋体９の開放状態において、フィルム３のカット部分であるフィルム裾部３７が蓋体９の意匠面に露出するように構成されている。
【００３８】
ここで、成形基材２に貼付するフィルム３は、加熱によって軟化する樹脂フィルムであれば特に限定されるものではなく、例えば、例えば、アクリル（ポリメタクリル酸メチル、ポリメタクリル酸エチル、ポリメタクリル酸プロピル、ポリメタクリル酸ブチルなど）、ＡＢＳ（アクリロニトリル−ブタジエン−スチレン）、ＰＣ（ポリカーボネート）、ポリエステル（ポリエチレンテレフタレート、ポリブチレンテレフタレート、ポリエチレンナフタレート、ポリシクロヘキシルジメチレンテレフタレートなど）、ポリオレフィン、などが使用可能であり、２種以上のフィルムを積層することも可能である。その際、下の
層のフィルムであって印刷層の下部に設けたフィルムは黒系色の方が好ましい。フィルム裾部３７でのカット面が目立ち難くなるからである。
【００３９】
最外層としては、１層、２層以上に関わらず、アクリルフィルムが透明性、耐傷付き性、耐候性の点で優れているため、加飾目的で最外層に使用するフィルムとして好ましい。
【００４０】
フィルム３に対する印刷方法では、グラビア印刷、シルクスクリーン印刷、オフセット印刷など使用でき、要求する外観の意匠性、フィルムに対する印刷性、フィルム作製数量により選択することができる。
【００４１】
接着層３５としては、ホットメルト系、感圧系、反応型、などがあるが、三次元形状に対する追従性から感圧型が望ましい。また、感圧系は、常温で接着、剥離が可能であるため、余分なフィルムの切除（トリミング）作業がし易い。さらに、剥離時は成形基材との界面で剥離するために、成形基材の表面に接着剤が残らず、外観品位を損なわない。
【００４２】
ここで、接着層の材質は、特に指定するものではなく、例えば、アクリル系、シリコーン系、ゴム系、ウレタン系などがある。特に、密着性、耐候性、耐熱性、耐溶剤性に優れるアクリル系が望ましい。
【００４３】
成形基材２としては、特に指定するものではなく、例えば、ＡＢＳ樹脂、ポリスチレン樹脂、ＰＣ樹脂、アクリル樹脂、ポリフェニレンエーテル樹脂、ＰＥＴ樹脂、ポリプロピレン樹脂などが使用できる。特に、ＡＢＳ樹脂が、機械強度（表面硬度）、表面平滑性（ひけが生じ難い）などから好ましい。
【００４４】
以上のように構成された電気掃除機について、以下、その動作、作用を説明する。
【００４５】
使用者により電気掃除機１００の運転が開始されると、電動送風機１３のモータ（図示せず）が駆動され、ファン（図示せず）が回転駆動される。
【００４６】
モータによってファンが回転駆動されると、電動送風機１３に設けられた吸気口（図示せず）から電動送風機１３の内部に外気が吸気され、電動送風機１３で吸引風が発生する。そして、被清掃面上の塵埃は、電動送風機１３の吸引風により、吸込具１０１の下面に設けられた吸込口（図示せず）から吸引され、延長管１０２及びホース１０４を介して、掃除機本体５の内部へと流入し、集塵袋１５によって捕集される。
【００４７】
ここで、一般的に、使用者が電気掃除機１００を使用して被清掃面上の掃除を行っている場合、掃除機本体５が箪笥や壁などの障害物に衝突する場合がある。掃除機本体５が箪笥や壁などの障害物に衝突すると、掃除機本体５の蓋体９に衝撃が加わり、蓋体９が変形してしまう。このとき、蓋体９にフィルム３が貼付されていると、蓋体９が変形することで、蓋体９とフィルム３との接着面のずれによるしわや浮きが生じ、フィルム３が蓋体９から剥がれてしまう場合があった。
【００４８】
本実施の形態においては、蓋体９に設けたリブ形状の突出部３６により、応力方向に垂直な面の断面積が増え、曲げ方向の剛性が高まることにより、衝撃による蓋体９の変形を防止し、変形により生じるフィルム３の剥がれを防止して、外観品質を保つことができる。また、補強を突出部３６で行うことにより、単純に蓋体９の厚みを増した場合よりも少ない材料で成形することができ、重量も抑えることができるので、使用性の向上にもつながる。さらに、複数個の突出部３６を等間隔に配置することで、均一に補強することができる。
【００４９】
（実施の形態２）
本発明の実施の形態２について、図６および図４を用いて説明する。なお、上述した実施の形態１と同一構成部品については同一符号を付して、その説明を省略する。
【００５０】
図６は、実施の形態２における蓋体９の横断面図である。図６に示すように、成形基材２の外周端部には、外周方向に突起した突起部３８が設けられている。ここで、成形基材２の端に設けた突起部３８は、成形基材と一体成形してもよく、成形基材２と別部品にしてよい。また、突起部３８は、四角形状でも良いが、先端部を三角形状にするとさらに耐久性において効果を得られる。そして、フィルム裾部３７は、成形基材２の端部に設けられた突起部３８によって、取り囲まれるように構成されている。
【００５１】
図４は、実施の形態２における蓋体９の蓋体の背面図である。図４に示すように、突起部３８は、成形基材２の外周端部に蓋体９の外郭形状に一連に沿って外周方向へ突出して設けられている。
【００５２】
そして、蓋体９の背面側から見て、蓋体９の外郭形状に沿って略円弧状を成した突起部３８の外周接線方向対し、突出部３６の延長線を交差させる際に成す最小の角度（鋭角）をθと設定する。そして、突出部３６は、このθの角度が４５度以上となるように配置されている。
【００５３】
これにより、蓋体９が外周から受ける応力方向に対し、突出部３６が効果的に補強効果を発揮するため、蓋体９の剛性強度をさらに向上させることができる。また、好ましくは上述のθの角度を６０度以上とすれば、なおさらに剛性強度を高めることができる。
【００５４】
以上のように、突出部３６を突起部３８の外周接線方向対し、上述の適正な角度に配置することで、蓋体９の剛性強度が向上し、フィルム加飾された蓋体９が変形することをより確実に防止することができ、フィルム加飾された蓋体９の耐久性をさらに向上させることができる。
【産業上の利用可能性】
【００５５】
本発明の電気掃除機によれば、フィルム加飾された蓋体の強度を向上させることができるため、掃除機本体が箪笥や壁などの障害物に衝突した場合であっても、フィルム加飾された蓋体が変形することを防止することができ、フィルム加飾された蓋体の耐久性を向上させることが可能となるため、家庭用電気掃除機及び産業用電気掃除機の分野・用途に好適に適用することができる。
【符号の説明】
【００５６】
１  加飾成形品
２  成形基材
３  フィルム
４  端部
５  掃除機本体
６  下部材
７  上部材
８  集塵室
９  蓋体
１０  カバー体
１３  電動送風機
１４  電動送風機室
１５  集塵袋
２０  ファンケース
２１  モータケース
３５  接着層
３６  突出部
３７  フィルム裾部
３８  突起部
１００  電気掃除機
１０１  吸込具
１０２  延長管
１０３  吸入口
１０４  ホース
１０５  車輪
１０６  キャスター
１０７  本体ハンドル
１０８  回転ブラシ
１０９  駆動モータ
１１０  把手部
１１１  先端パイプ
１１２  接続パイプ
【図２】
2012239678.tif 000003
【図４】
2012239678.tif 000004
【図５】
2012239678.tif 000005
【図１】
2012239678.tif 000006
【図３】
2012239678.tif 000007
【図６】
2012239678.tif 000008
【図７】
2012239678.tif 000009